(57)【要約】【課題】爪上において、ダイヤモンドを好ましい姿勢に維持することができる台座及び台座を用いた爪の装飾方法を提供する。【解決手段】シリコーンで形成された環状の本体１１を有し、爪Ｆｎ上に配置された台座本体１１の中心の孔１２にダイヤモンド２の下部２２を挿入し、ダイヤモンド２のテーブル２３が上方を向く姿勢に支持する。このようにダイヤモンド２の姿勢を支持した状態で、樹脂液を上塗りすることで、ダイヤモンド２を含む樹脂層Ｅｊを形成する。【選択図】図５
2014061221.tif 000002
【特許請求の範囲】
【請求項１】
爪上に皮膜を形成し、該皮膜中に宝石を配置して爪を装飾する化粧方法に使用される台座であって、
円形に形成された本体と、
本体の中心に形成され、宝石の下部が挿入され、宝石を下側から支える孔とを備え、
本体の外径は、宝石の幅よりも小さいことを特徴とする台座。
【請求項２】
本体は、耐薬品性を有する材料で構成されている請求項１に記載の台座。
【請求項３】
本体は、支える宝石の色と同じ系統の色を有する請求項１又は２に記載の台座。
【請求項４】
本体は、宝石の形状に応じて表面が変形可能な程度の柔らかい材質によって構成されている請求項１から３のいずれか1に記載の台座。
【請求項５】
宝石はダイヤモンドであり、前記孔は、ダイヤモンドのキューレットが挿入され、パビリオン部分を下側から支えるものである請求項１から４のいずれか1に記載の台座。
【請求項６】
環状の台座を爪の上に配置する第１の工程と、
爪に配置された台座の環の内側に宝石の下部を挿入して載置する第２の工程と、
載置された宝石の上から樹脂を被覆する第３の工程とを有する台座を用いた爪の装飾方法。
【発明の詳細な説明】
【技術分野】
【０００１】
この発明は、爪に皮膜を施して装飾する爪化粧品に用いられる台座と台座を用いた爪の装飾方法に係り、詳しくは、爪に形成する皮膜に含まれる宝石を支持する台座と台座を用いた爪の装飾方法に関するものである。
【背景技術】
【０００２】
ネイルアートと呼ばれる爪に装飾を施す手技がある。このネイルアートとは、爪に樹脂製の被覆剤を塗布し、被覆剤上に装飾を施すことにより、爪を装飾する化粧方法の一つである。
【０００３】
この化粧方法を実施するための爪化粧品において、微小のダイヤモンドを被覆剤に混入させ、ダイヤモンドが混入した被覆剤を爪に塗ることで、爪にダイヤモンドを含んだ装飾を施すものが提案されている。
【先行技術文献】
【特許文献】
【０００４】
【特許文献１】特許第３８７１０５６号
【発明の概要】
【発明が解決しようとする課題】
【０００５】
しかしながら、上記方法によりダイヤモンドを爪に施した場合には、ダイヤモンドが倒れた状態で爪に固定されていることとなる。ダイヤモンドのプロポーションは、いわゆる５８面体のラウンドブリリアンカットによるダイヤモンドが知られている。ラウンドブリリアンカットにカットされたダイヤモンドは５８面体であり、ダイヤモンド内部に入射した光線は、底の部面で全反射を起こして、上部テーブル面及びクラウン面に戻り、外部へ放射されて美しく輝くような構成となっている。つまり、このようにカットされたダイヤモンドを美しく輝かせるためには、鋭角状の先端が真下を向き、テーブル面が真上を向く姿勢で固定されていることが好ましいのである。
【０００６】
ところが、従来の化粧方法では、下部が鋭角状に尖がった形状となっているので、爪の上では倒れた状態となり、最も好ましい姿勢で爪上に固定することはできない。従って、ダイヤモンドは爪の装飾材として爪に載ってはいるものの、ダイヤモンドの装飾材としての作用を十分に発揮させているとは言えない、といった問題があった。
【０００７】
この発明は、爪上において、宝石を好ましい姿勢に維持することができる台座及び台座を用いた爪の装飾方法を提供することを目的とするものである。
【課題を解決するための手段】
【０００８】
以上のような問題を解決する本発明は、以下のような構成を有する。
【０００９】
（１）爪上に皮膜を形成し、該皮膜中に宝石を配置して爪を装飾する化粧方法に使用される台座であって、
円形に形成された本体と、
本体の中心に形成され、宝石の下部が挿入され、宝石を下側から支える孔とを備え、
本体の外径は、宝石の幅よりも小さいことを特徴とする台座。
【００１０】
（２）本体は、耐薬品性を有する材料で構成されている上記（１）に記載の台座。
【００１１】
（３）本体は、支える宝石の色と同じ系統の色を有する上記(1)又は（２）に記載の台座。
【００１２】
（４）本体は、宝石の形状に応じて表面が変形可能な程度の柔らかい材質によって構成されている上記(１)から(３)のいずれか1に記載の台座。
【００１３】
（５）宝石はダイヤモンドであり、前記孔は、ダイヤモンドのキューレットが挿入され、パビリオン部分を下側から支えるものである上記(１)から(４)のいずれか1に記載の台座。
【００１４】
（６）環状の台座を爪の上に配置する第１の工程と、
爪に配置された台座の環の内側に宝石の下部を挿入して載置する第２の工程と、
載置された宝石の上から樹脂を被覆する第３の工程とを有する台座を用いた爪の化粧方法。
【発明の効果】
【００１５】
請求項１に記載の発明によれば、本体の孔の部分に宝石の下部を挿入することによって、宝石が最も輝く姿勢に固定することができるで、宝石本来の輝きを用いた装飾が可能となる。
【００１６】
請求項２に記載の発明によれば、耐薬品性を有するので、爪に形成する皮膜に含まれる薬剤によって変性することが少なく、安定した性能を発揮することができる。また、必要な場合には、繰り返し使用することも可能となる。
【００１７】
請求項３に記載の発明によれば、本体の色が、支える宝石と同じ系統の色であるので、宝石の発色や輝きを一層際立たせることが可能となる。
【００１８】
請求項４に記載の発明によれば、支持する宝石の形状に応じて表面が変形できる程度の柔らかい材質によって本体が構成されているので、宝石に接触する部位が、宝石の表面の凹凸に沿って密着することが可能となり、より安定的に宝石を支えることが可能となる。
【００１９】
請求項５に記載の発明によれば、宝石がダイヤモンドである場合、ダイヤモンドが最も輝く姿勢に保持することができるので、爪の装飾効果を一層発揮させることができる。
【００２０】
請求項６に記載の発明によれば、宝石を台座によって、宝石が最も輝く姿勢に固定することができるで、宝石本来の輝きを用いた装飾が可能となる。
【図面の簡単な説明】
【００２１】
【図１】本発明の台座の形状を示す全体平面図及び全体断面側面図である。
【図２】本発明の台座が宝石であるダイヤモンドを支持している状態を示す断面側面図である。
【図３】台座本体の形状と、ダイヤモンドのパビリオン角との関係を示す拡大断面図である。
【図４】指の爪に本発明の台座を用いて爪に装飾を施す手順を示す斜視図である。図４は同じ断面側面図である。
【図５】指の爪に本発明の台座を用いて爪に装飾を施す手順を示す断面側面図である。
【発明を実施するための形態】
【００２２】
以下、本発明の好適実施形態について、詳細に説明する。図１（Ａ）は、本発明の台座１の形状を示す全体平面図、同じく（Ｂ）は、全体断面側面図である。台座１は、断面が円形の線材を円環状にして形成された本体１１と、本体１１の内側に形成された孔１２とを備えている。  図１（Ｂ）に示されているように、本体１１の外径Ｄ１、内径Ｄ２および線材の直径ｄ１の関係は、Ｄ１＝Ｄ２＋ｄ１×２となる。
【００２３】
図２は、本発明の台座１が宝石であるダイヤモンドを支持している状態を示す断面側面図である。台座１の本体１１に、ダイヤモンド２の下部先端部のキューレット２１を挿入すると、下部パビリオン部分２２が本体１１の孔１２の内周上端部に接触し、下側からダイヤモンド２を支える状態となる。ここで、安定的にダイヤモンド２を台座１が支えるためには、ダイヤモンド２のパビリオン角θに対して、本体１１の形状は、以下のような関係が成立することが好ましい。本体１１が、ダイヤモンド２の下部面に接触して下側から支える位置の直径Ｄ３は、Ｄ２≦Ｄ３≦Ｄ１であって、（Ｄ３／２）ｔａｎθ≦ｄ１であることが好ましい。（Ｄ３／２）ｔａｎθが、ｄ１を超えると、台座１本体１１の環の内周と、ダイヤモンド２との間に隙間が生じるため、ダイヤモンド２を安定的に支持することができないからである。本実施形態では、線材の断面形状が円形であるため、図３に示されているように、ダイヤモンド２の下部面に接触して下側から支える位置の高さｈは、
ｈ＝（Ｄ３／２）ｔａｎθであって、かつ、ｈ＝ｄ１／２＋（ｄ１／２）ｃｏｓθであるから、（Ｄ３／２）ｔａｎθ＝ｄ１／２＋（ｄ１／２）ｃｏｓθであり、本体１１は、Ｄ３＝［ｄ１（１＋ｃｏｓθ）］／（Ｄ３ｔａｎθ）である関係が成り立つ形状であることが好ましい。或いは、（Ｄ３／２）ｔａｎθよりも、ｄ１／２＋（ｄ１／２）ｃｏｓθは、若干大きいことが好ましい。換言すると、接触部分の本体１１の直径は、ダイヤモンド２の接触部分の直径よりも若干小さいことが好ましい。このような構成であると、ダイヤモンド２を孔１２に挿入した場合、ダイヤモンド２のパビリオン部分のテーパによって、本体１１を押し広げた状態となり、ダイヤモンド２は、外側から台座１によって締め付けられた状態で支持される。このような締め付けは、ダイヤモンド２を一層確実に支持するものである。
【００２４】
なお、Ｄ１は、ダイヤモンド２の外径Ｄｉｄよりも小さいことが好ましい。Ｄｉｄよりも大きい場合には、ダイヤモンド２の外側に台座１の輪郭がはみ出す事となり、外観上好ましくないからである。
【００２５】
また、本体１１の材質は、どのような材質であっても良いが、樹脂中に配置されることから、樹脂中に含まれる成分によって変質することが少ない性質を有する（耐薬品性）材質で、表面が宝石の形状に合わせて変形（凹む）できる程度に柔らかいものであることが好ましい。このような性質を有する材料して、例えば、シリコーンが好ましい。この他、ニトリルゴム、スチレンブタジエンゴム、ふっ素ゴム、エチレンプロピレンゴム、クロロプレンゴム、ブチルゴム、アクリルゴム、水素化ニトリルゴム、パフルオロエラストマーなど、他の樹脂を用いることもできる。
【００２６】
本発明の台座１が使用される対象となる宝石は、爪の上に載せる装飾材として利用する目的に使用されることから、微小な大きさであることが必要とされ、例えば、０．０１２〜０．１５ｃｔの範囲であることが好ましい。このような範囲より小さい宝石では、宝石としての認識が難しく、また、この範囲より大きな宝石では、樹脂で爪上に固定したダイヤモンドを覆うことが難しく、爪から突出した形状となってしまい、装飾用としては好ましくないからである。なお、使用に適した好ましい宝石の範囲を大きさで規定すると、例えば、直径１．３ｍｍ〜３．４ｍｍの範囲であると良い。
【００２７】
以上のような大きさの宝石を支える台座１の大きさとしては、例えば、外径１．３０〜３．４ｍｍ程度、好ましくは、１．２９〜１．６０ｍｍであると良い。この範囲より小さい大きさの台座は製造が困難であり、また、この範囲より大きな台座は、宝石の直径よりも大きくなり、好ましくない。
【００２８】
なお、材質の硬度は、適度な柔軟性を有することが好ましいが、例えば、硬度５０度〜７０度の範囲であると良い。この範囲の硬さが最も安定的に宝石を支えることができるからである。
【００２９】
本体１１の色は、支持する宝石の色に応じて決定されることが好ましい。ダイヤモンドのように、透明である場合には、本体１１の色は、透明または半透明であることが好ましい。例えば、サファイアのように青色の宝石の場合には、青系統の色（色相環において青色に距離が近い色）であることが好ましく、例えば、ルビーのように赤色の宝石の場合には、赤系統の色（色相環において赤色に距離が近い色）であることが好ましく、例えば、エメラルドのように緑色の宝石の場合には、緑系統の色（色相環において緑色に距離が近い色）であることが好ましい。このように、同系統の色の台座を用いることで、宝石の有する色調を損なうことなく、宝石の有する個性を発揮させた爪の装飾を行うことができる。
【００３０】
なお、本発明の台座の形状は、上記実施形態の形状に限らず、線材の断面形状は、円形に限られず、楕円や、多角形であってもよく、本体１１は筒状であってもよい。
【００３１】
以上のように構成された台座１を用いて、宝石の一つであるダイヤモンド２を指の爪の上に固定する方法について説明する。
【００３２】
図４は、指の爪に本発明の台座１を用いて爪に装飾を施す手順を示す斜視図、図５は同じ断面側面図である。第１の工程として、爪に樹脂液を塗布し、硬化していない基礎層Ｅｓを形成する（図５(Ａ)）。第２の工程として、本発明の台座１を塗布された樹脂の上に載せる（図４（Ａ）、図５（Ｂ））。この際、台座１は、樹脂中に一部が没した状態となる。第３の工程として台座１の孔１２内に宝石（図面では、ダイヤモンド２）の下部を挿入する（図４（Ｂ））。この挿入によって、孔１２内の余分な樹脂が外側に押し出さダイヤモンド２の下部と、本体１１との間に樹脂が充填される。第４の工程として、第１の工程で塗布した樹脂を硬化させて固着層Ｅｓｐを形成する（図５（Ｃ））。
【００３３】
樹脂液は、例えば、ネールエナメル液を用いることができる。このネールエナメル液は、透明溶剤， 皮膜形成剤， 可塑剤などが成分として含まれる。ネールエナメル液は、皮膜形成剤を含むので、爪に塗布された後に乾燥させられることによってかかる皮膜形成剤が固まり、爪にネールエナメル液が固定される。つまり、第４の工程として、乾燥が行われる。
【００３４】
塗布された樹脂液の硬化は、上記の通り、乾燥させることにより実現され、この硬化によって、爪の上に塗布された樹脂に台座１とダイヤモンド２が固定される。
【００３５】
この他、爪に塗布される樹脂として紫外線硬化樹脂を用いてもよい。紫外線硬化樹脂は、紫外線が照射されることにより硬化する樹脂である。紫外線硬化樹脂の成分としては、例えば、ベース樹脂、反応性希釈剤、光重合開始剤が含まれ、その他必要に応じて添加剤が付加される。添加剤は、例えば、所望の発色を付与するための添加剤や、粘度を調整するための添加剤などがある。紫外線硬化樹脂を用いた場合には、第４の工程として、塗布された樹脂液に対して紫外線の照射が行われる。紫外線硬化樹脂を用いた場合には、樹脂が硬化する時間が、ネールエナメル液の硬化時間に比較して短いので、手技時間を短縮できる点において有利である。
【００３６】
この硬化によって、台座１とダイヤモンド２が爪の表面に固定される。第５の工程として、更に樹脂液を刷毛Ｂｕ等の塗布具によって塗布し、固定されたダイヤモンド２を埋め尽くす程度に樹脂液を塗り重ねる（図４（Ｃ））。第６の工程として、最後に塗布された樹脂液を第４の工程と同様の方法で硬化させ、ダイヤモンド２を含む被覆層Ｅｊを形成する（図５（Ｄ））。必要に応じて、第５の工程と第６の工程を繰り返し行い、ダイヤモンド２を被覆する樹脂層を厚くすることもできる。
【００３７】
図示されていないが、さらに第７の工程として、ダイヤモンド２のテーブル２３を覆っている被覆層Ｅｊを削り取って、テーブル２３又は、テーブル２３及びクラウン２４の一部（上部）を露出させる工程を加えてもよい。このように、テーブル２３及びクラウン２４を露出させることより、宝石本来の輝きを直接外部に表すことができるので、一層装飾効果を発揮させることができる。
【００３８】
また、上記第１の工程と、第２の工程の順序を逆にして、爪の上に台座１を載せた後、その上から樹脂液を塗布し、樹脂が硬化する前に、ダイヤモンド２を台座本体１１の孔１２に挿入する方法を採ってもよい。また、基礎層Ｅｓは、台座１を配置する部分にのみ形成し、他の部分には形成されていなくても良い。
【００３９】
本体１１は、第２の工程において、樹脂液に本体１１が馴染んで、台座１と樹脂との間の接着性が向上するように、樹脂液に接触する面の粗さを粗く構成し、或いは溝などの凹凸を形成した構成としてもよい。
【００４０】
本体１１と樹脂との接着性を向上させることによって、また、台座１によりダイヤモンド２の保持力を向上させることによって、上記第５の工程において、樹脂液を上塗りする際に、刷毛Ｂｕの接触によってダイヤモンド２がこぼれ落ちるといった不都合の発生が抑制される。
【符号の説明】
【００４１】
１      台座
１１    本体
１２    孔
２      宝石（ダイヤモンド）
２１    キューレット
２２    パビリオン部分
２３    テーブル
２４    クラウン
【図１】
2014061221.tif 000003
【図２】
2014061221.tif 000004
【図３】
2014061221.tif 000005
【図４】
2014061221.tif 000006
【図５】
2014061221.tif 000007